(57)【特許請求の範囲】
【請求項１】
軸心をほぼ鉛直に設置された立軸を横転させる立軸横転装置において、
前記立軸の下端に連結される接続金具と、
該接続金具に前記立軸の軸心に直角方向に貫通して取付けられた支持軸と、
該支持軸を鉛直方向に案内するガイド部を有し、台板等の基礎部材に固定された支持板と、
前記立軸の鉛直下方向への移動によって該立軸の重量が負荷され、該重量により該立軸を傾動方向に付勢する揺動機構と
を備えたことを特徴とする立軸横転装置。
【発明の詳細な説明】
【０００１】
【発明の属する技術分野】
本発明は、ほぼ鉛直方向に立設された立軸を横転させる立軸横転装置に関する。
【０００２】
【発明が解決しようとする課題】
水車の回転軸、堅型ポンプの回転軸等、ほぼ鉛直に立設された立軸を横転させるにあたっては、従来、図８の（Ａ）に示すように、立軸２１の上端にねじ込まれたアイボルト２２にクレーン（不図示）のフック２４に吊下されたロープ２３を架けて鉛直に吊り下げる。
次いで同図（Ｂ）に示されるように、盤木２５上に載置された柔軟材２６上に立軸２１の下端を載せ、フック２４を下げて、該立軸２１を横転させる。
【０００３】
かかる従来の立軸２１を横転させる手段にあっては、該立軸２１をフック２４及びロープ２３で吊り下げ、フック２４を下げているので、特に大重量の立軸２１の場合には、フック２４と柔軟材２６の立軸２１の下端が当接する位置との関係から、立軸２１を所望の横転方向に横転できない場合が生じ易く、また立軸２１が不安定な状態で吊り下げられるため、これの下端が障害物に衝突して損傷を受け易い、等の問題点がある。
【０００４】
本発明はかかる従来技術の課題に鑑み、立軸を正しく所望の方向に、かつ少ない労力で安全に横転可能とする立軸の横転装置を提供することを目的とする。
【０００５】
【課題を解決するための手段】
本発明はかかる課題を解決するため、軸心をほぼ鉛直に設置された立軸の下端に連結される接続金具と、該接続金具に前記立軸の軸心に直角方向に貫通して取付けられた支持軸と、該支持軸を鉛直方向に案内するガイド部を有し、台板等の基礎部材に固定された支持板と、前記立軸の鉛直下方向への移動によって該立軸の重量が負荷され、該重量により該立軸を傾動方向に付勢する揺動機構とを備えたことを特徴とする立軸横転装置を提案する。
尚、前記揺動機構は、後記実施形態においては、前記支持軸を前記ガイド部に沿って下降させ接触金具の下端を支持板の支点に揺動可能に支持された揺動台に当接させて立軸の重量を前記当接部を介して揺動台に負荷させると、該重量により該揺動台は前記支持板から前記当接部までの距離をアームとして支点廻りに回転し、接触金具を支持軸の廻りに揺動台の回転と同一方向に回軸するように押すように構成されているが、これのみに限定される事なく、前記立軸の鉛直下方向への移動によって該立軸の重量が負荷され、該重量により該立軸を傾動方向に付勢するものであれば、特に限定されない。
【０００６】
かかる発明によれば、立軸の下端に接続金具をねじ込み等により連結し、該接続金具に立軸に直角方向に支持軸を挿通し、該支持軸を支持板の鉛直方向ガイド部に嵌合する。
次いで、前記支持軸を前記ガイド部に沿って下降させ接触金具の下端を支持板の支点に揺動可能に支持された揺動台に当接させて立軸の重量を前記当接部を介して揺動台に負荷させると、該重量により該揺動台は前記支持板から前記当接部までの距離をアームとして支点廻りに回転し、接触金具を支持軸の廻りに揺動台の回転と同一方向に回軸するように押す。これによって接続金具及びこれに固定された立軸は前記支持軸の廻りに、前記揺動台の回転と同一方向に回転せしめられ、立軸は上記の方向に横転せしめられる。
【０００７】
従って、かかる発明によれば立軸をこれの重量によって揺動台の回転方向に確実に横転させることができ、図８に示す従来手段のように大きな労力を必要とせず、所望の方向に立軸を横転させることが可能となる。
【０００８】
【発明の実施の形態】
以下、図面を参照して本発明の好適な実施形態を例示的に詳しく説明する。但しこの実施形態に記載されている構成部品の寸法、材質、形状、その相対的配置等は特に特定的な記載がないかぎりは、この発明の範囲をそれに限定する趣旨ではなく、単なる説明例にすぎない。
【０００９】
図１は本発明の実施形態に係る立軸横転装置の正面及び要部断面図、図２は図１のＡ矢視図（平面図）、図３は図１のＢ矢視図（側面図）、図４は図１のＣ−Ｃ線断面図、図５は図１のＤ−Ｄ線断面図、図６は図２のＥ−Ｅ線断面図、図７は前記実施形態における立軸の横転要領を示す外観図である。
【００１０】
図１〜図６において、２１は立軸、１は該立軸２１の下端に捩じ込まれた接続金具、１ａはそのねじ部である。２は支持軸である。該支持軸２は、図５に示すように、その中央部が前記接続金具１の下部に圧挿された軸受５に、前記立軸２１の軸心２１ａに直角方向にかつ該接続金具１と相対回転可能に嵌合されている。
【００１１】
１６は台板で、四隅に配置された４個の（４個以上でも可）レベリングパッド１７を介して支持されている。１８は前記台板の上面の四隅に設けられた吊上用アイボルトである。３は２枚の支持板で、前記接続金具１の両側にこれを挟むように配置されるとともに、下端部を前記台板１６の上面に固定されている。
【００１２】
そして、前記２枚の支持板３、３には、図１及び図５に示すように、立軸２１の軸方向（鉛直方向）に切欠き４、４が形成されている。図５に示すように、該切欠き４、４にはブッシュ６、６が外周を切欠き４、４に回転可能に嵌合され、該ブッシュ６、６に前記支持軸２の両端が圧入されている。従って前記接続金具１は前記支持軸２の廻りに回転可能に装着されることとなる。
【００１３】
７は前記２枚の支持板３、３の間に設けられた揺動台である。該揺動台７は、図４に示すように、支持板３、３に圧入された軸８の中央部に軸受１１を介して相対回転可能に支持されている。１２は前記軸１２を支持板３に固定するためのキープレートである。また該揺動台７には、図１に示すように、前記軸８を支持するボス部７ｂから前記立軸２１の軸心２１ａの方向つまり、水平方向に延びる水平腕部７ｃが形成されており、前記軸８の中心、即ち該揺動台７の揺動の支点７ａから距離Ｓの位置において該腕部７ｃの上面に前記接続金具１の下面が当接するようになっている。
【００１４】
図５において、９はばねで、前記揺動台７の下部と前記台板１６の中央部に取付けられた支持ボルト１０との間に介装され、前記揺動台７が揺動したとき立軸２１の重量が接続金具１を介して該ばね９に加わるようになっている。また前記揺動台７の垂直腕部７ｄは前記接続金具１の側面に当接可能とされている。１３は該垂直腕部７ｄの接続金具１側への回転量を調整する調整ボルトで、前記支持板３、３間に架設された支え板３ａに取付けられている。
【００１５】
図６において、１４は安全ピンで、前記左右に支持板３、３に設けられた支持軸２嵌合用の切欠き４の上部に貫通され、立軸２１の支持板３、３からの抜け出しを防止するものである。１５は該安全ピン１４を固定するための固定用ボルトである。
【００１６】
かかる構成からなる立軸横転装置を使用して立軸を横転する際の動作につき説明する。
先ず横転対象の立軸２１の下端に、軸受５が圧入された接続金具１をねじ込んだ後、軸受５の内周に支持軸２を挿入し、さらに該支持軸２の両端にブッシュ６、６をボルト６ａ、６ａにて固定する。
【００１７】
次いで、前記のようにして接続金具１及び支持軸２を取付けた立軸２１を、前記調整ボルト１３により水平方向の向きを調整された揺動台７の案内面７ｅをガイドにして、支持軸２の両端のブッシュ６、６の外周を支持板３、３の垂直方向の切欠き４、４に嵌合して該切り抜き４、４内を下降させ、揺動台７の水平腕部７ｃの上部に当接させる。
【００１８】
次いで、前記切欠き４の上部に図６のように安全ピン１４を挿入し固定ボルト１５で該安全ピン１４を固定する。これにより支持軸２、接続金具１及び立軸２１の支持板３、３からの抜け出しが阻止される。
【００１９】
次いで立軸２１を降下させると、該立軸２１の重量により揺動台７の水平腕部７ｃを介してばね９が圧縮される。これによって揺動台７は軸８の廻りに図１において距離Ｓをアームとして時計方向に回転し、これとともに、立軸２１が固定された接続された接続金具１は揺動台７の垂直上部７ｄによって図１の右方に押され、支持軸２の廻りに時計方向に回転し、該立軸２１は図１の右方に倒される。
【００２０】
従って、かかる実施形態によれば、立軸２１を確実に揺動台７の回転方向、つまりこの実施形態のように立軸２１への接続金具１を揺動台７の支点である軸８の右側に配置すれば立軸２１は右方向に横転させることができる。
【００２１】
図７にはかかる実施形態の立軸横転装置を用いて立軸２１を横転させた後、クレーン（不図示）に吊下して振れ計測用ローラ台３０上に運搬するまでの過程を示す。図７において、２４はクレーンのフック、２３はロープ、２２はアイボルト、２７はチェーンブロック、２８は運搬用のワイヤ、２９は布製スリングである。図７において（Ａ）が横転前にこの実施形態に係る横転装置を取付けたとき、（Ｂ）が立軸２１を横転させたとき、（Ｃ）が横転させた立軸２１を運搬するときを夫々示す。
【００２２】
【発明の効果】
以上記載のごとく本発明によれば、立軸を接続金具を介してこれの軸心に垂直方向に設けられた支持軸に支持して支持板の鉛直方向ガイド部に沿って下降させ、立軸の重量によって支持板に回転可能に支持された揺動台を押圧しこれを回転させるので、立軸を揺動台の回転方向と同一方向に確実に横転させることができる。
【００２３】
従って、立軸自体の重量を利用してこれを横転させるので、大きな労力を必要とせず、かつ周辺の部材に損傷を与えることなく立軸を確実に所望の方向に横転させることができる。
【図面の簡単な説明】
【図１】本発明の実施形態に係る立軸横転装置の正面及び要部断面を示す図である。
【図２】図１のＡ矢視図である。
【図３】図１のＢ矢視図である。
【図４】図１のＣ−Ｃ線断面図である。
【図５】図１のＤ−Ｄ線断面図である。
【図６】図２のＥ−Ｅ線断面図である。
【図７】前記実施形態における立軸の横転要領を示す外観図である。
【図８】従来技術に係る立軸横転要領を示す外観図である。
【符号の説明】
１    接続金具
２    支持軸
３    支持板
４    切欠き
７    揺動台
７ａ  支点
７ｃ  水平腕部
７ｄ  垂直腕部
２１  立軸
【図１】
0003664859.tif 000002
【図２】
0003664859.tif 000003
【図３】
0003664859.tif 000004
【図４】
0003664859.tif 000005
【図５】
0003664859.tif 000006
【図６】
0003664859.tif 000007
【図７】
0003664859.tif 000008
【図８】
0003664859.tif 000009